(57)【特許請求の範囲】
【請求項１】
左右に適宜隔てて配置した複数本の縦フレームと、
上下に適宜隔てて配置した複数本の横フレームと、
左右に隣合った２本の縦フレームと上下に隣合った２本の横フレームとで囲われた枠空間に装着されるパネル類とを備えてなる間仕切において、
前記各横フレームは側断面視で上下対称形状に形成されており、前記各横フレームの四隅には円弧状に面取り部が形成され、
前記横フレームの上面及び下面に形成された係合溝を介して表裏一対の前記パネル類を着脱可能に係止する一方、
前記パネル類は、薄板パネルであって、その上下端には、前記面取り部との連設部に当接または密接する上下傾斜部が形成されていることを特徴とする間仕切。
【請求項２】
前記パネル類に設けた係止手段は、上下に隣合った横フレームのうち下段の横フレームのセンター係合溝に上方から嵌合する下係止片と、上段の横フレームのサイド係合溝に前後方向から弾性に抗して係脱する弾性体製の上係止片とから成っていることを特徴とする請求項１に記載した間仕切。
【請求項３】
さらに、前記各横フレームの前後両面又は片面には、側断面蟻溝状のフロント係合溝が形成されており、それら上下横フレームのフロント係合溝に引っ掛かる上下の鉤状係止体を介してスクリーンパネルが装着可能になっていることを特徴とする請求項１または２に記載した間仕切。
【請求項４】
前記各縦フレームには、係合手段として、枠空間に向いたインナー係合溝又はインナー係合凸条が上下全長にわたって延びるように形成されており、更に、各縦フレームには、前記係合手段とは別に、枠空間と反対側に開口した蟻溝状のアウター係合溝が上下全長にわたって延びるように形成されており、このアウター係合溝に抜け不能に嵌合する枠材に、縦フレームの外側に張り出すアウターボードを装着可能になっていることを特徴とする請求項１乃至請求項３のうちいずれかに記載した間仕切。
【発明の詳細な説明】
【０００１】
【発明の属する技術分野】
本発明は、間仕切に関するものである。
【０００２】
【従来の技術】
間仕切には天井まで届くタイプと天井まで届かない衝立式とに大別される。後者の衝立式の間仕切は、主として、骨組み（本体）とこれに装着されるパネルとから成っており、骨組みは、左右に立設した縦フレーム（支柱）と、左右の縦フレームを繋ぐ横フレームとから成っている。
【０００３】
間仕切の高さと幅があまり大きくない場合は、骨組みは左右２本の縦フレームと上下２本の横フレームとで構成されることが多い。間仕切の高さがある程度以上に高くなると、横フレームは３本以上配置することが多く、間仕切の幅がある程度以上に大きくなると、縦フレームを３本以上配置することもある。
【０００４】
また、パネルについて見ると、縦フレームと横フレームとで囲われた空間に１枚のパネルを装着する場合と、表裏２枚のパネルを装着して両者の間を中空状に形成する場合とがある。パネルの材質は様々で、金属板に塗装を施しただけのもの、金属板に化粧布を貼ったもの、金属板の裏面に軽量断熱材を貼ったものなどがある。
【０００５】
いずれにしても、従来は、骨組みの構造とパネルの構造との関係は予め決まっており、パネルの構造が異なると、取付け構造も違ったものになっていた。従って、従来は、１つの間仕切においては、せいぜいパネルの色彩を変える程度のバリエーションしか選択できなかった。
【０００６】
【発明が解決しようとする課題】
オフィスにおいては、机を並べただけのオープンフロアー方式や各ワーカーごとにブースで仕切っただけの伝統的なワークスタイルから、間仕切や机などの家具の機能やレイアウトを作業内容等に応じて異ならせるフレキシブルなワークスタイルに大きく変化している。
【０００７】
これらは一種のオフィス革命というべきもので、その背景には、ワーカーへの過干渉や過放任をなくして、各ワーカーが快適かつ能率的に執務できる環境を形成することの必要性の認識や、パソコンの普及に伴って執務内容自体が大きく変質したことなどがあると言える。
【０００８】
このようなオフィス革命の下で、間仕切にも様々の機能が求められている。例えば、個人作業に使用する間仕切においては、ワーカーの好みや作業内容に応じて、パネルの材質や構造・機能などを選択したいとの要望がある。
【０００９】
より具体的には、間仕切の一部に透明又は半透明な部分が欲しい、間仕切の一部又は全部が布状やネット状であるとくつろげる、押しピンで紙を止めることができるパネルにピンナップ性が欲しい、パソコン等の電気機器の配線を綺麗に処理できるようにして欲しいなど、機能やデザインについて様々の要望がある。
【００１０】
近年、ＳＯＨＯ（スモールオフィス・ホームオフィス）の広がりが目覚ましいが、このＳＯＨＯで企業する人は元々独立指向が強く、他人から干渉されずに自分の好みに合った作業空間を形成したいとの要望が高いため、特に間仕切の機能・デザインについての要望も多岐に亘ると言える。
【００１１】
しかるに、従来は、１つの間仕切においてはせいぜいパネルの色彩を変える程度の変更しかできず、ユーザーの要望に応じてパネルの構造を選択したり、骨組みは共通化してパネルの構造を異ならせた様々の機能・デザインの間仕切を揃えたりといったことは簡単にはできなかったため、様々なユーザーの要望に臨機応変に応えるのは困難であった。
【００１２】
本願発明は、この現状を改善することを目的とするものである。
【００１３】
【課題を解決するための手段】
請求項１の発明に係る間仕切は、左右に適宜隔てて配置した複数本の縦フレームと、上下に適宜隔てて配置した複数本の横フレームと、左右に隣合った２本の縦フレームと上下に隣合った２本の横フレームとで囲われた枠空間に装着されるパネル類とを備えてなる間仕切において、前記各横フレームは側断面視で上下対称形状に形成されており、前記各横フレームの四隅には円弧状に面取り部が形成され、前記横フレームの上面及び下面に形成された係合溝を介して表裏一対の前記パネル類を着脱可能に係止する一方、前記パネル類は、薄板パネルであって、その上下端には、前記面取り部との連設部に当接または密接する上下傾斜部が形成されていることを特徴とするものである。
【００１５】
請求項２の発明は、請求項１に記載の間仕切において、前記パネル類に設けた係止手段は、上下に隣合った横フレームのうち下段の横フレームのセンター係合溝に上方から嵌合する下係止片と、上段の横フレームのサイド係合溝に前後方向から弾性に抗して係脱する弾性体製の上係止片とから成っているものである。
【００１７】
請求項３の発明は、請求項１または２に記載の間仕切において、さらに、前記各横フレームの前後両面又は片面には、側断面蟻溝状のフロント係合溝が形成されており、それら上下横フレームのフロント係合溝に引っ掛かる上下の鉤状係止体を介してスクリーンパネルが装着可能になっているものである。
【００１８】
なお、パネル類の素材は特に限定はなく、金属板や木材、合板、合成樹脂、異種素材の積層材、シート、布、不織布、スクリーン、金網など様々のものを採用できる。
【００２１】
請求項４の発明は、請求項１乃至３のうちいずれかに記載の間仕切において、前記各縦フレームには、係合手段として、枠空間に向いたインナー係合溝又はインナー係合凸条が上下全長にわたって延びるように形成されており、更に、各縦フレームには、前記係合手段とは別に、枠空間と反対側に開口した蟻溝状のアウター係合溝が上下全長にわたって延びるように形成されており、このアウター係合溝に抜け不能に嵌合する枠材に、縦フレームの外側に張り出すアウターボードを装着可能になっていることを特徴とするものである。
【００２２】
請求項１においては、パネルとユーザーとの関係で見ると、ユーザーの要望に応じたパネルを取り付けて販売する場合と、ユーザーが複種類のパネルを購入して、好みによって自分で付け替える場合とがある。後者の場合は、パネルは骨組に対して着脱自在である必要がある。
【００２４】
敢えて説明するまでもないが、間仕切はそれ単独で使用することもできるし、別に天板や棚を取り付けて机又はテーブルとして使用することも可能である。
【００２６】
【発明の作用・効果】
請求項１のように構成すると、パネル類を横フレームに対して係脱させることによって簡単に着脱できるため、ユーザーが好みによってパネル類を付け替えることも簡単にでき、特に好ましい。また、請求項１によると、複数本の横フレームは同じ断面形状のものを使用できるため、コストを低減できる利点もある。
【００２７】
請求項３のように構成すると、横フレームの前面（及び後面）にもスクリーンパネルを係止できるため、取付けできるパネル類のバリエーションが一層豊富になり、その結果、ユーザーの要望にいっそう的確に応えることができる。
【００２９】
ところで、間仕切にはその外側にもアウターボードを取付けたい場合がある。この点については、請求項４のように構成すると、蟻溝状のアウター係合溝を利用して板材を簡単に取付けることができるため、間仕切の使用態様のバリエーションを一層広げることができる。
【００３０】
【発明の実施形態】
次に、本発明の実施形態を図面に基づいて説明する。
【００３１】
(1).概要（図１）
図１に示すように、間仕切は、コーナー支柱４を介して平面視でＬ字状に接続された第１〜第２のユニット１〜３と、第２ユニット２と直線状に接続された第３ユニットとから成っている。１つのユニット１が間仕切の最小単位である。
【００３２】
各ユニット１〜３は、左右に配置した縦フレーム５と、左右の縦フレーム５の上端間を接続する上部横フレーム６と、左右の縦フレーム５の下端間を接続する下部横フレーム７と、左右縦フレーム５を上端と下端との間で接続する中間横フレーム８とで骨組みが構成されており、上下左右のフレームで囲われた枠空間９に、それぞれパネル１０，１１，１２を装着している。
【００３３】
第１ユニット１は１本の中間横フレーム８によって上下２つの枠空間に区分されており、第２ユニット２と第３ユニット３とは、２本の中間横フレーム８によって上下３つの枠空間に区分されている。
【００３４】
本実施形態では各ユニットごとに左右一対ずつの縦フレーム５を備えているが、隣合ったユニット１において縦フレームを共用することも可能である。また、上下横フレーム６，７とは別に笠木や巾木を並設することも可能である。
【００３５】
各ユニット１〜３で囲われた空間には、机天板１３が着脱可能に取付けられている。机天板１３の一端部は脚１４で支持されている（ユニットを平面視でコ字状に接続することにより、机天板１３の全体を間仕切で支持しても良い）。各ユニット１には棚１５を自在に取付けることができる（支持構造は後述する）。
【００３６】
図示の例では、各ユニット１〜３は縦寸法及び幅寸法とも同じになっているが、横幅や高さが異なる複数種類のユニットを用意しておくことも可能である。
【００３７】
(2).コーナー支柱及び縦フレーム（図２）
図２は図１のII−II視断面図であり、この図２に基づいて、コーナー支柱４と縦フレーム５の断面構造を説明する。コーナー支柱４及び縦フレーム５はアルミ等の軽金属の押し出し加工品であり、従って、基本的に全長にわたって同一断面形状であり、部分的に加工を施している。
【００３８】
コーナー支柱４は平面視略正方形で中空状に形成されており、各外面にはアウター係合溝１７が全長にわたって延びるように形成されている。また、各四隅よりやや内側に位置した４ヶ所には、平面視略円弧状のねじ込み用溝１８が形成されている。
【００３９】
コーナー支柱４の下面には底板１９が横ずれ不能に嵌合しており、この底板１９は、前記ねじ込み用溝１８にねじ込んだねじ２０で締結されている。この底板１９にはアジャスターボルト２１を下方からねじ込んでいる。コーナー支柱４の上端には天キャップ４ａ（図４参照）が装着される。
【００４０】
他方、各縦フレーム５は、前後両面５ａと内面（枠空間９に面した面）５ｂとが円弧状曲面５ｃを介して連続しており、全体として断面略台形状で中空状に形成されている。そして、その外面には、コーナー支柱４と同じ形状のアウター係合溝１７が形成されている。アウター係合溝１７は、その開口部に２条のリップを備えて蟻溝に形成されている。
【００４１】
縦フレーム５の内面５ｂには、当該内面５ｂの幅寸法よりもやや小さい前後幅で浅い第１インナー係合溝２２が形成されており、この第１インナー係合溝２２に各横フレーム６〜８の端部がきっちり嵌まるようになっている。
【００４２】
横フレーム６〜８の前後幅寸法が縦フレーム５の前後幅寸法（間仕切全体の厚さ）よりも小さいため、机天板１３を縦フレーム５の前面にぴったり重ねた状態でも、横フレーム６〜８と机天板１３との間にはコード類Ｃやケーブル類を挿通できる配線可能空間（凹所）２４が空いている。
【００４３】
各横フレーム６〜８はねじ２５で縦フレーム５に締結されている。図示していないが、縦フレーム５には、ねじ２５とドライバーとを挿入するための穴が空いている。
【００４４】
縦フレーム５の第１インナー係合溝２２には、長手中心線を挟んだ両側の位置に２条の第２インナー係合溝２３が振り分けた状態に形成されている。これら両溝条２２，２３は請求項１に記載した係合手段の一例である。
【００４５】
縦フレーム５の前後両面５ａには、ブラケット用蟻溝２６が開口しており、このブラケット用蟻溝２６に連通した状態で平断面略円弧状のねじ込み用溝１８が形成されている。
【００４６】
縦フレーム５の下面には、図６（Ｂ）にも示す底板２７が横ずれ不能に嵌合しており、底板２７は、ねじ込み用溝１８にねじ込まれたねじ２８で締結されている。底板２７はアジャスターボルト２９が下方から螺合している。縦フレーム５の上面はキャップ３０（図３参照）で塞がれる。
【００４７】
ブラケット用蟻溝２６には、図６（Ｃ）に示すように、多数の溝穴３１を上下適宜間隔で空けたブラケット支持板３２が上方から挿入される。そして、この溝穴３１に嵌め込み装着したブラケットにより、棚１５を支持したり机天板１３を支持したりすることができる。
【００４８】
なお、各縦フレーム５は同一断面形状であり、かつ、２本の縦フレーム５の前後逆向きにして重ねると互いに嵌合して前後ずれ不能に保持されるように、外面は断面凹凸状に形成されている。
【００４９】
コーナー支柱４及び縦フレーム５のアウター係合溝１７が外側に露出する場合は、着脱自在なエンドカバー３３で塞がれる。また、縦フレーム５の上端にはキャップ３０（図参照）が装着される。
【００５０】
(3).下部の連結構造（図３〜図７）
次に、ユニット１〜３の連結構造を主として図３〜図７に基づいて説明する。図３は第２ユニット２と第３ユニット３との接続箇所の一部分離正面図、図４はコーナー支柱４と第２ユニット２との接続箇所の分離正面図、図５及び図６は部材の斜視図、図７は図３の VII-VII視平断面図である。
【００５１】
コーナー支柱４と縦フレーム５との連結構造も、縦フレーム５同士の連結構造も基本的には同じであり、ここでは主として縦フレーム同士の連結を取り上げて説明する。
【００５２】
互いに重なり合った縦フレーム５は、下端の相互間は下部連結体３５で連結され、上部の相互間は上部連結体３６で連結されている。まず、下部の連結構造について説明する。
【００５３】
例えば図５から容易に理解できるように、下部連結体３５は、一方の縦フレーム５のアウター係合溝１７に下方からきっちり嵌入する第１挿入部３５ａと、他方の縦フレーム５のアウター係合溝１７に下方からきっちり嵌入する第２挿入部３５ｂとを備えている。
【００５４】
本例では、第２挿入部３５ｂの高さは低くなっており、かつ、第２挿入部３５ｂには段部３５ｃを形成している。また、他方の縦フレーム５におけるアウター係合溝１７の下端部に開口部は、下部連結体３５の段部３５ｃに対応した切欠き３７を形成している。下部連結体３５は、一方の縦フレーム５の底板２７で落下不能に支持されている。
【００５５】
この下部連結体３５により、隣合った縦フレーム５は水平離反不能に保持される。また、図３及び図７に示すように、隣合った縦フレーム５の下部には、１本のピン３８が嵌まる穴３９が空いており、このピン３８により、隣合った縦フレーム５は上下離反不能に保持される。
【００５６】
縦フレーム５におけるアウター係合溝１７の開口縁には、ピン３８の大径部が落下不能に引っ掛かる切欠きが形成されている。そして、ピン３８を一方の縦フレーム５に装着すると共に、下部連結体３５を一方の縦フレーム５に嵌合しておいてから、他方の縦フレーム５を下部連結体３５の第２挿入部３５ｂに嵌め込みつつ、ピン３８に係合穴３９を嵌め込む。
【００５７】
すると、隣合った縦フレーム５は水平離反不能で上下離反不能に保持される。一方の縦フレーム５をピン３８と下部連結体３５とに同時に嵌め込むため、下部連結体３５の高さは低くなっている。
【００５８】
(4).上部の連結構造
上部連結体３６は、一方の縦フレーム５のアウター係合溝１７に上方から嵌まる第１クランプ体４０と、他方の縦フレーム５のアウター係合溝１７に上方から嵌まる第２クランプ体４１と、これらを締結するボルト（六角穴付きボルト）４２とから成っている。
【００５９】
両クランプ体４０，４１には、アウター係合溝１７から横向きに抜けないようにリップ４０ａ，４１ａが形成されている。また、第２クランプ体４１に設けた凸部４１ｂが一方の縦フレーム５のアウター係合溝１７にきっちり嵌まるようになっており、かつ、第２クランプ体４１の凸部４１ｂに形成した凹所４１ｃに、第１クランプ体４０に設けた突起４０ｂがきっちり嵌合している。
【００６０】
更に、第２クランプ体４１の凸部４１ｂにはボルト挿入穴４３が空いており、他方、第１クランプ体４０の突起４０ａにはねじ穴４４が空いている。
【００６１】
このとき、第１クランプ体４０の突起４０ｂの上面を正面視で斜め下向きの傾斜面４０ｃとなし、この傾斜面４０ｃにねじ穴４４を開口させる一方、第２クランプ体４１における凸部４１ｂに、正面で前記第１クランプ体４０の傾斜面に重なる平板状の傾斜板部４１ｄを設け、この傾斜板部４１ｄにボルト挿入穴４３を空けている。
【００６２】
他方の縦フレーム５におけるアウター係合溝１７の底部は、ボルト４２の頭に干渉しないように若干の寸法だけ上向きに切り開き形成されている（切り開き部を符号４５で示す）。
【００６３】
両クランプ体４０，４１は、離反しないようにボルト４２で仮止めしておく。そして、ユニット同士を連結するには、隣合った縦フレーム５を重ね合わせて先に下部を下部連結体３５及びピン３８で連結してから、両縦フレーム５のアウター係合溝１７にそれぞぞれクランプ体４０，４１を挿入し、次いで、正面視で傾斜状の姿勢にした六角レンチをボルト４２の頭に嵌め入れて、ボルト４２をねじ込む。これにより、両縦フレーム５はその上部において強固に締結される。
【００６４】
ボルト４２を傾斜状の姿勢にしたことにより、縦フレーム５の内面部をカットすることなく、六角レンチを使用して両縦フレーム５を強固に締結することができる。ボルト４２の傾斜角度は、六角レンチの挿入機能を損なわない範囲で、できるだけ水平に近づけるのが好ましい。
【００６５】
(5).横フレーム（図８〜図９）
次に、図８〜図１０に基づいて、横フレーム６〜８の構造を説明する。図８は第３ユニット３の部分的な正面図、図９は図８のIX−IX視面断面図、図１０は要部の斜視図である。
【００６６】
横フレーム６〜８の上下両面には、幅方向の中心に位置したセンター係合溝４６と、その両側に位置した２条のサイド係合溝４７とが形成されている。この場合、サイド係合溝４７はセンター係合溝４６よりも浅くて円弧状に形成されている。
【００６７】
また、横フレーム６〜８の四隅は円弧状に面取りされている（面取り部を符号４７で示す）。更に、横フレーム６〜８の前後両面には、上下中心線を挟んだ対称形状の蟻溝状のフロント係合溝４９が形成されている。これら各係合溝４６，４７，４９は、皆、請求項に記載した係合手段の一例でる。
【００６８】
横フレーム６〜８の内部には、その中心線に沿って延びる断面円弧状のねじ込み用溝１８が形成されており、既述のとおり、このねじ込み用溝１８にねじ込んだねじ２５により、縦フレーム５と横フレーム６〜８とが締結されている（図２も参照）。
【００６９】
上述の説明より明らかなように、各横フレーム６〜８は同じ大きさ及び同じ断面形状であり、且つ、上下対称形及び左右対称形状になっている。従って、各横フレームに同じ素材を方向性のない状態で使用できる。
【００７０】
(6).パネルの第１態様（図８〜図10）
次に、図８〜９に図１０も加えて、パネルの態様を説明する。各ユニット１〜３も様々のパネルの展開が可能であるが、引用する符号が煩雑になるのを回避するため、以下の全ての例では、第３ユニット３を代表として取り上げ、これを単に「ユニット１」と一般化して、説明する。
【００７１】
図９に示すように、ユニット１における３つの枠空間９のうち上段の枠空間９には、クロス張り金属板製や化粧鋼板製の薄板パネル１０が前後から配置されており、中断の枠空間９には透明又は半透明の樹脂板（例えばアクリル板）やガラス板のような中厚板パネル１１が表裏両側から配置されている。
【００７２】
また、下段の枠空間９には、金属板で中空状に形成された１枚の中空パネル１２が配置されている。薄板パネル１０と中厚パネル１１とは、その外面が横フレーム６〜８と同一面を成すように配置されている。他方、中空パネル１２は横フレーム６〜８よりも薄くなっている。
【００７３】
薄板パネル１０の下端には、横フレーム６〜８の上端と面取り部４８との連設部に当接又は密接する下傾斜部１０ａと、センター係合溝４６に嵌合する下係止片１０ｂとが形成されており、このため、薄板パネル１０はその下部において前後不能に保持される。
【００７４】
また、薄板パネル１０の上端には、横フレーム６〜８の下端と面取り部４８との連設部に当接又は密接する上傾斜部１０ｃが形成されており、この傾斜部１０ｃから、枠空間９の内部に向けて延びる折り返し部１０ｄが伸びている。そして、折り返し部１０ｄに、横フレーム６〜８のサイド係合溝４７に嵌合する板ばね製等の上係止片５１をねじ５２で固定している。
【００７５】
薄板パネル１０の上傾斜部１０ｃと横フレーム６〜８の面取り部４８との間には、例えばマイナスドライバーのような薄い部材を挿入できる程度の隙間が空いている。
【００７６】
上係止片５１は薄板パネル１０の上端部に部分的に設けている（例えば９００ｍｍ程度の横幅の場合は２個程度で良い）。図１０に明示するように、薄板パネル１０の上傾斜部１０ｃには、上係止片５１の逃げ変形を容易ならしめるため切欠き穴５３が空いている。
【００７７】
薄板パネル１０では、上下の係止片１０ｂ，５１がセンター係合溝に記載した係止手段を構成している。なお、上下の係止片は、薄板パネル１０に切り起こし等によって一体に形成することも可能である。
【００７８】
薄板パネル１０を取付ける場合は、まず、やや前傾状の姿勢にして下係止片１０ｂを下方の横フレーム６〜８のセンター係合溝４６に嵌み、次いで、上部を押して上係止片５１を上部の横フレーム６〜８のサイド係合溝４７に嵌め込めば良い。
【００７９】
取り外す場合は、上部と横フレーム６〜８との間の隙間にマイナスドライバーのような器具５４を挿入して、上係止片５１の弾性に抗して手前にこじ空ければ良い。
【００８０】
なお、薄板パネル１０のような着脱式と横フレーム６〜８との間に、人の指が入る程度の隙間を空けて、人が手だけでパネルを着脱できるようにすることも可能である。
【００８１】
横フレーム６〜８に面取り部４８を設けたことにより、薄板パネル１０を簡単に取り外すことができる。なお、敢えて説明するまでもないが、薄板パネル１０の左右両端は縦フレーム５に干渉しないようになっている。
【００８２】
中厚パネル１１の上端部と下端部とには、当て板５５を介して下係止片１０ｃと上係止片５１とがねじ５６で固定されている。当て板５５には、ねじ５６がねじ込まれるボス５５ａが一体に形成されており、このため、中厚パネル１１がガラスやアクリル樹脂のような脆い素材であっても、締結によって割れることはない。
【００８３】
中厚パネル１１の取付け・取り外しの手順は薄板パネル１０と同じである。例えば２つの枠空間を背中合わせに配置した場合のように間仕切の片面が外部から見えない場合は、その片面だけに薄板パネル１０や中厚パネル１１を取付けれは良い。
【００８４】
(7).第２態様（図11）
図１１（Ａ）に示すように、着脱式パネルとして、穴空き金属板パネル（パンチングメタルパネル）５８を使用することもできる。
【００８５】
この場合、図１１（Ｂ）に示すように、穴空き金属板パネル５８の片面又は両面に透明又は半透明で強靱なフィルム５９を貼ることにより、押しピン６０で紙類を固定できるピンナップ機能を持たせることも可能である。
【００８６】
(8).第３態様（図12）
図１２では第３態様を示している。（Ａ）は裏面図、（Ｂ）は（Ａ）Ｂ−Ｂ視断面図である。この態様では、着脱式パネルとして、金属板（鋼板）から成る表面板６１の裏側に心材６２を貼った積層パネル６３を使用している。この例では、表面板６１は第１態様の薄板パネル１０と同じ形態になっている。
【００８７】
(9).第４態様（図13）
図１３では第４態様を示している。（Ａ）は正面図、（Ｂ）は（Ａ）のＢ−Ｂ視断面図である。この態様では、着脱式パネルとして、布状やメッシュ状，或いはシート状等のスクリーンパネル６４を使用している。スクリーンパネル６４は単層構造でも良いし、複層構造でも良い。
【００８８】
スクリーンパネル６４の上端には、横フレーム６〜８のフロント係合溝４９に上方から引っ掛かり係合する上部鉤体６５が一体に取付けられており、スクリーンパネル６４の下端には、横フレーム６〜８のフロント係合溝４９に下方から引っ掛かり係合する上部鉤体６６が一体に取付けられている。
【００８９】
スクリーンパネル６４は若干ながら上下方向に弾性変形することが可能であり、この伸びを利用して、スクリーンパネル６４を簡単に着脱することができる。図では前後のスクリーンパネル６４において鉤体６５，６６の形状は異なっているが、その機能は同じである。
【００９０】
スクリーンパネル６４は上下に隣合った横フレーム６〜８に係止する必要はなく、例えば、上部横フレーム６と下部横フレーム７とに引っ掛けることも可能であり、このように広い面積のスクリーンパネル６４を取付けることにより、映写用スクリーンパネルとして利用することも可能である。
【００９１】
また、スクリーンパネル６４に模様を浮き上がらせるなど、様々のデザインを施すことも可能である。更に、一点鎖線で示すように、スクリーンパネル６４は横フレーム６，８の左右幅寸法の間隔より短くても良い）。
【００９２】
(10). 第５態様（図14〜図15）
図１４〜１５では第５態様を示している。図１４は平断面図、図１５は図１４のXV−XV視断面図である。この態様では、着脱式パネルとして、薄板パネル１０と中厚パネル１１との２種類を使用している。
【００９３】
これら両パネル１０，１１とも、上下の係止片５１，１０ｂを使用している点で他の例と共通しており、他の例との相違点は、両パネル１０，１１が縦フレーム５の前後面を成すように配置されていることである。
【００９４】
この例から容易に理解できるように、着脱式パネルは、その厚さとは関係なく、係止片５１，１０ｂの寸法を異ならせることにより、表面の前後位置を自由に設定できる。
【００９５】
この例では、縦フレーム５の第２インナー係合溝２３は１条だけ深く形成されている。
【００９６】
(11). 第６態様（図16）
図１６では第６態様を示している。この例では、着脱式パネルの例として、枠空間の前後中間部のみに中厚パネル１１を配置しており、中厚パネル１１の上端と下端とにそれぞれ係止片５１，１０ｂを当て板５５とねじ５６とで固定している。
【００９７】
この例では、上係止片５１は、上部横フレーム６のセンター係合溝４６に嵌合させている。
【００９８】
中厚パネル１１の下端縁をセンター係合溝４６に直接に嵌め入れても良い（この場合は下係止片１０ｃは不要になる）。この例から理解できるように、縦フレーム５と横フレーム６〜８とから成る骨組みはそのままで、１つの枠空間９に１枚だけのパネルを着脱自在に取り付けることも可能である。
【００９９】
(12). 第７態様（図17〜図20）
図１７〜２０では、第７態様を示している。図１７は部分的な正面図、図１８のうち（Ａ）は図１７の A-A視断面図、（Ｂ）は図１７の B-B視断面図、図１９及び図２０は変形例を示す図である。
【０１００】
この第７態様は、図９において言及した中空パネル１２の取付け構造の例であり、この例では、中空パネル１２は着脱自在ではなく、縦フレーム５と横フレーム６〜８とを分離しないと着脱できない固定式パネルになっている。
【０１０１】
すなわち、鋼板製の中空パネル１２は額縁形枠材６７に嵌め込み装着されており、額縁型枠材６７が、縦フレーム５の第１インナー係合溝２２と第２インナー係合溝２３とにきっちり嵌合している。このような固定式パネルを取付けることも可能である。
【０１０２】
縦フレーム５のインナー係合溝２２，２３を利用することに代えて、又はこれに加えて、横フレーム６〜８のセンター係合溝４６を利用して固定することも可能である。額縁状枠材６８を横フレームに上下から被嵌させても良い。
【０１０３】
ユニット１の全体を中空式等の１枚の固定式パネルで塞ぐことも可能であるし、複数枚の固定式パネルで塞ぐことも可能である。複数枚の固定式パネルを使用する場合、図１９（Ａ）に示すように、上下に隣合った固定式パネル６８を中間横フレーム８で分離しても良いし、図１９（Ｂ）に示すように、複数枚の固定式パネル６８を上下に積み重ねた状態にしても良い。
【０１０４】
いうまでもないが、各固定式パネルは色彩や模様などを異ならせても良い。また、中空状パネルに代えて、木製等の中実状厚肉パネルを使用することも可能である。額縁状枠材６７は、図２０に示すような断面形状でも良い。
【０１０５】
(13). 第８態様（図21）
図２１では第８態様を示している。本態様は、横フレーム６〜８に固定式パネルを着脱不能に取付けた場合において、固定式パネルとして、支持板６９に軟質材（インシュレータ）７０を積層することによって押しピン６０を抜き差し自在としたピンナップボードパネル７１を使用している。
【０１０６】
(14). 第９態様（図22）
図２２では第９態様を示している。本態様は、横フレーム６〜８は上下非対称状に形成されており、一方の面にはセンター係合溝４６とサイド係合溝４７とが形成されており、他方の面には１つの広巾溝７３が形成されている。
【０１０７】
そして、（Ａ）に示す例では、上下横フレーム６〜８の広巾溝７３を対向させて、この広巾溝７３に固定式厚肉パネル６８の上端と下端とを着脱不能に嵌め込んでいる。逆に、（Ｂ）に示す例では、各横フレーム６〜８を広巾溝７３が上になるように配置して、着脱式の中厚パネル１１に上下の係止片１０ｂ，５１を設けている。
【０１０８】
(15). 第10態様（図23〜図24）
図２３〜２４では第１０態様を示している。本態様は、ユニット１のエンド縦フレーム５にアウターボード７４をはみ出すように取付け、ユニット１の上部横フレーム６にはアッパーボード７５を取り付けている。
【０１０９】
アウターボード７４を取付けるに当たっては、図２４（Ａ）に示すように、縦フレーム５のアウター係合溝１７に、縦溝７６を備えた受け金具７７を上方から挿入し、受け金具７７にアウターボード７５をねじ７８で固定している。受け金具７７はねじ７８で縦フレーム５に固定しても良いし、単にアウター係合溝１７に挿入しただけでも良い。
【０１１０】
アッパーボード７５を取り付けるに当たっては、図２４（Ｂ）に示すように、上部横フレーム６のフロント係合溝４９に上向き抜け不能に嵌合する前後の挟持板７９でアッパーボード７５を挟み、三者を８０で共締めしている。
【０１１１】
(16). 第11態様（図25）
図２５に示す第１１態様では、枠空間にパネルを取付けずに、左右の縦フレーム５に多数本の横フレーム６〜８を接続することにより、全体としてフェンス状（梯子状）に形成している。
【０１１２】
（Ｂ）は（Ａ）の B-B視断面図であり、この図に示すように、横フレーム６〜８のフロント係合溝４９に、ボード８１などの各種の部材を吊懸けることができる。なお、複数の枠空間９のうち任意のものをパネルで塞いでも良い。
【０１１３】
中間横フレーム８を簡単に取付けるため、（Ｂ）〜（Ｇ）に示すような端キャップ８８を使用することも可能である。（Ｃ）は正面図、（Ｄ）は平面図、（Ｅ）は平断面図、（Ｆ）は側面図、（Ｇ）は側視断面図である。
【０１１４】
この端キャップ８８は軟質合成樹脂やゴムなどの弾性材からなっており、（Ｃ）に示すように、中間横フレーム８の端面にピッタリ重なる外形になっている。また、端キャップ８８には中間横フレーム８の内部にずれ不能に嵌合する足片８９と、中間横フレーム８の外側に露出する突起９０とが形成されている。
【０１１５】
突起９０は縦長の小判形になっている一方、他方、縦フレーム５には、前記突起９０に対応した穴９１が空いている。
【０１１６】
中間横フレーム８を取付けるに当たっては、（Ｈ）に示すように、中間横フレーム８をその一端部が下となるようにやや斜めにした状態で、まず、一方の突起８９を穴９１に嵌め入れ、それから、中間横フレーム８の他端部を強制的に下向きに押し下げる。すると、他方の端キャップ８９の弾性変形により、突起９０が穴９１に嵌合する。
【０１１７】
この状態で弾性体製の端キャップ８９が縦フレーム５に密着しているため、中間横フレーム８は、ガタ付きなくきっちりとした状態に保持される。取り外しは逆の手順で行えばよく、取付け・取り外しを簡単に行うことができる。
【０１１８】
(17). 第12態様（図26〜図27）
図２６〜図２７で示す第１１態様は、ユニット１を嵩上げしてこの嵩上げ部に様々の構造の着脱式パネル８２を装着できるようにしたものである。図２６は正面図、図２７（Ａ）は分離斜視図、図２７（Ｂ）は部分的な平断面図である。
【０１１９】
この例では、図２２（Ａ）に示すように、縦フレーム５の上端に連結金具８３をねじ８４で固定し、連結金具８３の上向き片８３ａに継ぎ足し用縦フレーム８５をねじ８６で固定している。継ぎ足し用縦フレーム８５の上端間には従前と同じ横フレーム６〜８が固定されている。
【０１２０】
（Ｂ）に示すように、合成樹脂製やガラス製の比較的薄い素材からなるアッパースクリーン（アッパーボード）８６を固定する場合は、アッパースクリーン８６の縁部を、ゴム等のパッキン８７を介して継ぎ足し用縦フレーム８５に形成されたインナー係合溝（蟻溝）２３に嵌め込めば良い。もちろん、他の装着手段も採用できる。
【０１２１】
(18). その他
以上、本発明の実施形態を説明したが、本発明は更に様々に具体化できる。例えば縦フレームや横フレームの断面形状は図示のものに限定はされず、様々の形状に変更できる。
【０１２２】
また、上部横フレームと下部横フレームとは縦フレームと同じ前後厚さとして、中間横フレームだけを縦フレームよりも薄い寸法としても良い。
【図面の簡単な説明】
【図１】間仕切の全体の斜視図である。
【図２】図１のII−II視断面図である。
【図３】縦フレームの連結構造を示す一部分離正面図である。
【図４】コーナー支柱と縦フレームとの連結構造を示す分離正面図である。
【図５】縦フレームの連結構造を示す分離斜視図である。
【図６】部材の斜視図である。
【図７】図３の VII-VII視断面図である。
【図８】第３ユニットの部分正面図である。
【図９】図８のIX−IX視断面図である。
【図１０】薄板パネルの斜視図である。
【図１１】第２態様を示す図である。
【図１２】第３態様を示す図である。
【図１３】第４態様を示す図である。
【図１４】第５態様を示す平断面図である。
【図１５】図１４のXV−XV視断面図である。
【図１６】第６態様を示す平断面図である。
【図１７】第７態様を示す平断面図である。
【図１８】図１７の A-A視、 B-B視断面図である。
【図１９】第７態様の変形例を示す図である。
【図２０】第８態様を示す平断面図である。
【図２１】第９態様を示す平断面図である。
【図２２】第１０態様を示す平断面図である。
【図２３】第１１態様を示す平断面図である。
【図２４】図２３の A-A視、 B-B視断面図である。
【図２５】第１２態様を示す平断面図である。
【図２６】第１３態様を示す平断面図である。
【図２７】第１３態様における部材の分離斜視図である。
【符号の簡単な説明】
１〜３  ユニット（間仕切の最小単位）
５  縦フレーム
６〜８  横フレーム
１０〜１２  パネル
１３  机天板
１７  アウター係合溝
２２  第１インナー係合溝
２３  第２インナー係合溝
２４  配線可能空間
３５  下部連結体
３６  上部連結体
４０  第１クランプ体
４１  第２クランプ体
４６  センター係合溝
４７  サイド係合溝
４９  フロント係合溝
１０ｂ  下係止片
５１  上係止片
【図１】
0003910049.tif 000002
【図２】
0003910049.tif 000003
【図３】
0003910049.tif 000004
【図４】
0003910049.tif 000005
【図５】
0003910049.tif 000006
【図６】
0003910049.tif 000007
【図７】
0003910049.tif 000008
【図８】
0003910049.tif 000009
【図９】
0003910049.tif 000010
【図１０】
0003910049.tif 000011
【図１１】
0003910049.tif 000012
【図１２】
0003910049.tif 000013
【図１３】
0003910049.tif 000014
【図１４】
0003910049.tif 000015
【図１５】
0003910049.tif 000016
【図１６】
0003910049.tif 000017
【図１７】
0003910049.tif 000018
【図１８】
0003910049.tif 000019
【図１９】
0003910049.tif 000020
【図２０】
0003910049.tif 000021
【図２１】
0003910049.tif 000022
【図２２】
0003910049.tif 000023
【図２３】
0003910049.tif 000024
【図２４】
0003910049.tif 000025
【図２５】
0003910049.tif 000026
【図２６】
0003910049.tif 000027
【図２７】
0003910049.tif 000028